(57)【要約】【課題】複数の建築用パネルの端部が直線性を保って配設され、建築用パネルどうしの接続部に隙間が生じることなく、簡単に、見映え良く、施工することのできる建築用パネルの実結合構造を提供する。【解決手段】実結合方式で接続して敷設される建築用パネルの実構造であって、該建築用パネル本体の側端部に設けられる実構造は層構成材２１別に剥離自在とされた多層エッジ材２を含んでなり、上記建築用パネル本体の側端部からの出寸法が調節自在とされたことを特徴とする建築用パネルの実構造。【選択図】図４
2010024736.tif 000002
【特許請求の範囲】
【請求項１】
実結合方式で接続して敷設される建築用パネルの実構造であって、該建築用パネル本体の側端部に設けられる実構造は層構成材別に剥離自在とされた多層エッジ材を含んでなり、上記建築用パネル本体の側端部からの出寸法が調節自在とされたことを特徴とする建築用パネルの実構造。
【請求項２】
上記多層エッジ材が弾性を有する材料から形成された層構成材を積層してなる請求項１に記載の建築用パネルの実構造。
【請求項３】
上記多層エッジ材が上記建築用パネル本体の側端部に粘着材により着脱自在に固定されてなる請求項１に記載の建築用パネルの実構造。
【請求項４】
上記実結合方式が凹実を雇い実によって結合する雇い実方式である請求項１に記載の建築用パネルの実構造。
【発明の詳細な説明】
【技術分野】
【０００１】
本願発明は建築用パネルに関し、さらに詳しくは、建築用パネル本体の側端部に設けられる実結合の構造に関するものである。
【背景技術】
【０００２】
建築用パネル、特に木質材料からなる建築用パネルは、加工がし易く、また、通気性、透湿性に優れ、調湿機能を有する等の有利性から、種々の建築材料、特に、フローリング材、間仕切り材等、種々の内装材の分野で使用されることが多い。上記木質材料としては、近年、無垢の木材の入手が困難となってきていることから、合板、集成材、中密度繊維板（ＭＤＦ）、パーティクルボード等、種々の木質基材に突き板を貼着したり、木目模様の化粧紙を接着する等、表面化粧したものが建築用パネルとして汎用されている。
【０００３】
上記した木質材料のうち化粧合板を、例えば、フローリング材として用いる場合、通常、複数枚の化粧合板の、おのおの左右側端部に設けられた実結合部どうしを、合いじゃくり結合、本実結合、雇い実結合等の結合方式によってしっかりと実結合させて隣接する化粧合板どうしを隙間なく敷き詰めて床面の施工をする。しかし、上記のようにして実結合で複数枚の化粧合板を敷設したとき、パネルの寸法誤差、現場の施工誤差等により、接続部に隙間が空いたり、各パネルの端部が直線性を保って配設されずに凹凸が生じるため、見映えよく施工できないという問題が起きる。
【０００４】
一方、建物の外壁部の目地を施工する場合においても、外壁パネルの接続部の幅にバラツキが生じるという問題があるため、特開２００１−３５３７号公報には、外壁縦目地の乾式止水構造が提案されている。
【０００５】
すなわち、上記公報には、縦目地を挟む両側の外壁パネルの対向側縁部において、各外壁パネルの外壁面材が外壁下地材よりも外方に突出されており、これら外壁面材の突出部の背面のそれぞれに、上下方向に延びる止水部材が水密状態に取り付けられ、これら止水部材は、互いに重ね合わせ状にされ、重ね合わせ部分の両対向面が、横方向に凹凸を繰り返す波状面からなり、これら波状面同士が凹凸をかみ合わせるように重ね合わされていることを特徴とする外壁目地の乾式止水構造が提案されている。
【０００６】
そして、上記特開２００１−３５３７号公報の図１に記載されているように、屋内側から重なる止水部材と建物躯体との間に、止水部材の波状面同士を弾力をもって凹凸かみ合い状態に保持する弾性手段が介在されているため、縦目地の目地幅のバラツキによって目地幅が広めであるような場合でもそれを十分吸収して適正に止水することができ、また、外壁面材の背面に下地材が取り付けられているような場合でも、面材部分だけで十分止水できて外壁下地材を濡らすことのない外壁縦目地の乾式止水構造を提供できると、その効果が記載されている。
【特許文献１】特開２００１−００３５３７号公報
【発明の開示】
【発明が解決しようとする課題】
【０００７】
本願発明は、上記背景技術に鑑みてなしたものであり、その目的は、建築用パネル、例えば、表面を突き板で化粧した化粧合板を床面に敷設してフローリングを行う場合、化粧合板の寸法誤差や現場の施工誤差等により、化粧合板どうしの接続部に隙間が生じたり、各々の化粧合板の端部が直線性を保って配設されず凹凸が出るとき等に、これらの問題点を解決して簡単に、見映え良く、施工することのできる建築用パネルの実構造を提供することである。
【課題を解決するための手段】
【０００８】
上記課題を解決するために、本願請求項１に記載の発明に係る建築用パネルの実構造は、実結合方式で接続して敷設される建築用パネルの実構造であって、該建築用パネル本体の側端部に設けられる実構造は層構成材別に剥離自在とされた多層エッジ材を含んでなり、上記建築用パネル本体の側端部からの出寸法が調節自在とされたことを特徴としている。上記実結合の構造は、特に限定されることなく、合いじゃくり結合、本実結合、雇い実結合等の結合方式をあげることができる。
【０００９】
本願請求項２に記載の発明は、上記請求項１に記載の建築用パネルの実構造において、上記多層エッジ材が弾性を有する材料から形成された層構成材を積層してなることを特徴としている。上記弾性を有する材料としては、例えば、ポリ塩化ビニル樹脂、ポリウレタン樹脂、エチレン−酢酸ビニル共重合体、低密度ポリエチレン等のプラスチック材料、あるいは天然ゴム、スチレン−ブタジエンゴム、クロルスルフォン化ポリエチレンゴム、ポリウレタンゴム、ブチルゴム、ポリイソプロピレンゴム等のゴム材料等をあげることができる。これらを薄いシート状に成形し、各々のシート別に剥離自在となるように積層して用いられる。
【００１０】
本願請求項３に記載の発明は、上記請求項１に記載の建築用パネルの実構造において、上記多層エッジ材が上記建築用パネル本体の側端部に粘着材により着脱自在に固定されてなることを特徴としている。上記粘着材としては特に限定されず、公知の石油樹脂系タッキファイヤー、両面粘着テープ等を用いることができる。
【００１１】
本願請求項４に記載の発明は、上記請求項１に記載の建築用パネルの実構造において、上記実結合方式が凹実を雇い実によって結合する雇い実方式であることを特徴としている。
【発明の効果】
【００１２】
本願請求項１記載の発明に係る建築用パネルの実構造においては、上記した層構成材別に剥離自在とされた多層エッジ材を含み、上記建築用パネル本体の側端部からの出寸法が調節自在とされているため、例えば、建築用パネルをフローリング材とした場合に、フローリング材自体の寸法誤差や現場の施工誤差等により、床面に敷設したフローリング材とフローリング材との接続部に隙間が生じるとき、建築用パネル本体の側端部からの出寸法を調節することにより、隙間なく、直線性を保って、簡単に施工することができる。
【００１３】
本願請求項２記載の発明に係る建築用パネルの実構造においては、特に、多層エッジ材が弾性を有する材料から形成された層構成材を積層してなるため、例えば、フローリング材とフローリング材との接続部に僅かな隙間が生じる場合や、おのおののフローリング材の端部が直線性を保って配設されず多少の凹凸が出る場合等には、多層エッジ材全体が有する弾性を利用して、隙間を埋め、凹凸をなくして、外観性よく施工することができる。
また、多層エッジ材の弾性を利用しても上記した問題が解消されない場合は、多層エッジ材を構成する層構成材の所要枚数を剥離して、建築用パネル本体の側端部からの出寸法を調節することにより、フローリング材とフローリング材との接続部の隙間を埋め、各フローリング材の端部が直線性を保つように施工することができる。
【００１４】
本願請求項３記載の発明に係る建築用パネルの実構造においては、特に、上記多層エッジ材を上記建築用パネル本体の側端部に粘着材により着脱自在に固定することにより、多層エッジ材を必要としない場合は、取り付けずに施工することができる。
【００１５】
本願請求項４記載の発明に係る建築用パネルの実構造においては、特に、上記実結合方式を雇い実によって結合する雇い実方式とすることにより、例えば、上ジョイナと下ジョイナとからなる雇い実を用いることにより、複数の建築用パネルをしっかりと結合することができる。
【発明を実施するための最良の形態】
【００１６】
以下、本願発明に係る建築用パネルの実構造の実施形態について図面を参照して詳細に説明する。本実施形態においては、建築用パネルとして、合板に突き板を貼着して木目模様に表面化粧したフローリング材に、本願発明に係る実構造を適用した場合について説明する。
【００１７】
図１は、上記複数のフローリング材Ａを雇い実３によって接続し、床面に施工したとき、フローリング材Ａの寸法誤差や現場の施工誤差等が原因で敷設されたフローリング材の側端面に直線性が出ていない場合を模式的に示す平面図である。図１の左位置に示した直線の中央部の円内における段部は、隣接敷設されたフローリング材が水平方向にずれた状態で敷設されていることを示している。図２は、図１におけるＸ−Ｘ線に沿う断面で示すフローリング材Ａの実結合部の説明図である。図２においては、理解を容易にするため、雇い実３の図示は省略している。
【００１８】
図１において、フローリング材Ａと隣接するフローリング材Ｂとは雇い実３で結合されているが、このとき、図１に矢印で示すように、フローリング材Ａの側端部がはみ出して全体として直線的とならず凹凸が生じている。また、上記はみ出し分に相当して多層エッジ材２が露出し、フローリング材Ａとフローリング材Ｂとの接続部の幅が広くなっている。
【００１９】
図２に示すように、フローリング材Ａのフローリング材本体１の側端部には上部エッジ部１１１と下部エッジ部１１２とからなる凹実１１が設けられ、上記上部エッジ部１１１の実側端部には多層エッジ材２が粘着材により着脱自在に固定されている。
【００２０】
図２に示されているように、上記多層エッジ材２は３枚の層構成材２１が積層された３層構造とされており、各々の層構成材２１は剥離自在とされている。上記層構成材２１は弾性を有する材料、例えば、ポリ塩化ビニル樹脂を薄いシート状に成形し、フローリング材Ａの木目模様と違和感のないように同系統の色に着色され積層されている。
【００２１】
図３は、図１に示すフローリング材Ａと隣接するフローリング材Ｂとの側端部どうしを上ジョイナ３１と下ジョイナ３２とからなる雇い実３で実結合した形態を示す部分断面説明図である。図３に示す形態においては、図外粘着材によって多層エッジ材２はフローリング材本体１の側端部に固定されており、この状態において、フローリング材Ａの端部は図１に示すように突出している。
【００２２】
そこで、本願発明においては、フローリング材Ａの端部の突出長さに相当する分だけ、多層エッジ材２の側端部からの出寸法を調節する。すなわち、本実施形態においては、上部エッジ部１１１に着脱自在に固定された多層エッジ材２のうち、２枚の層構成材２１を取り除いて出寸法を調節し、フローリング材Ａの端部とフローリング材Ｂの端部とが全体として直線性を保つように調節する。
【００２３】
図４は、上記のようにして、多層エッジ材２のうち、２枚の層構成材２１を取り除き、上ジョイナ３１と下ジョイナ３２とからなる雇い実３を凹実１１に嵌装してフローリング材本体１の側端部どうしを接続した状態を示す部分断面説明図である。図４に示されているように、フローリング材本体１は、多層エッジ材２の突設長さに略等しい分、すなわち、２枚の層構成材２１の厚さ分だけ内側に寄せられ、雇い実３によって結合される。
【００２４】
図５は、上記のようにして多層エッジ材２の出寸法が調節されたフローリング材本体１を敷設した状態を模式的に示す平面図である。図５に示されているように、本願発明に係る建築用パネルの実構造が用いられたフローリング材Ａは、その端部が全体として直線性を保ち、見映えよく施工することができる。また、フローリング材Ａは、その端部のみならず、フローリング材Ａとフローリング材Ｂとの間の接続部の幅が一定でなく広がった場合等においても上記と同様にして、層構成材２１を必要な枚数分だけ取り除き、接続部の幅を同一とし、直線性を保つようにすることもできる。
【００２５】
なお、上記実施形態は建築用パネルとして、フローリング材を用いた場合について述べたが、フローリング材のみならず、間仕切り用パネル等についても適用可能である。また、上記実施形態においては、層構成材が３枚の場合について示したが、これに限定されず、複数枚であればいずれの場合も適用可能である。このように本願発明に係る建築用パネルの実構造は設計変更自在であり、特許請求の範囲を逸脱しない限り、いずれの場合も本願発明の技術的範囲に属する。
【図面の簡単な説明】
【００２６】
【図１】フローリング材を床面に敷設したとき端部が段違いとされ直線性が出ない状態を模式的に示す平面図。
【図２】図１におけるＸ−Ｘ線に沿う断面で示すフローリング材の実結合部の説明図。
【図３】図１に示すフローリング材の側端部どうしを雇い実で実結合した形態を示す部分断面説明図。
【図４】多層エッジ材の出寸法を調節し、雇い実を嵌装してフローリング材本体の側端部どうしを接続した状態を示す部分断面説明図。
【図５】多層エッジ材の出寸法が調節してフローリング材本体を敷設した状態を模式的に示す平面図。
【符号の説明】
【００２７】
Ａ      フローリング材
Ｂ      上記フローリング材に隣接するフローリング材
１      フローリング材本体
１１    凹実
１１１  上部エッジ部
１１２  下部エッジ部
２      多層エッジ材
２１    層構成材
３      雇い実
３１    上ジョイナ
３２    下ジョイナ
【図１】
2010024736.tif 000003
【図２】
2010024736.tif 000004
【図３】
2010024736.tif 000005
【図４】
2010024736.tif 000006
【図５】
2010024736.tif 000007